【手続補正書】
【提出日】平成26年5月22日(2014.5.22)
【手続補正１】
【補正対象書類名】明細書
【補正対象項目名】０００２
【補正方法】変更
【補正の内容】
【０００２】
従来、軽量で加工性に優れた紙製ダンボールシートを用いた紙製ダンボール箱が物品の運搬用容器或いは保管用容器として用いられている。
【手続補正２】
【補正対象書類名】明細書
【補正対象項目名】０００３
【補正方法】変更
【補正の内容】
【０００３】
しかし、紙製ダンボール箱は、耐水性が低く、また、耐久性も低いために、殆どの場合、使い捨ての用途にしか利用できず、再利用する場合でも、せいぜい数回が限度であり、また、その裁断端部の磨耗などによって紙粉が発生して収納物品に付着したり周囲に飛散したりするというような問題がある。
【手続補正３】
【補正対象書類名】明細書
【補正対象項目名】００１９
【補正方法】変更
【補正の内容】
【００１９】
また、従来、プラダン容器の箱体のプラダンシート裁断端部を嵌入することができる形状の溝（以下、「嵌入溝」という。）を有するフレーム部材（以下、「嵌合フレーム」という。）であって、その嵌入溝に沿った長手方向に垂直な方向の断面（以下、「横断面」という。）においてその嵌入溝部分がほぼコ字形を呈する嵌合フレームを用いて、その嵌合フレームの嵌入溝にプラダン容器上縁部を嵌入させ、その嵌合フレームと上縁部とをリベットを用いて接合することによって、プラダン容器上縁部に嵌合フレームを取り付けて、プラダン容器上縁の裁断面を保護することが行われている。
【手続補正４】
【補正対象書類名】明細書
【補正対象項目名】００２０
【補正方法】変更
【補正の内容】
【００２０】
また、プラスチック部材の表面同士が当接している部分を接合する手段として、接着剤を用いて接着する方法も存在しているが、しかし、このような接着剤によるプラスチック表面同士の接着においては、従来、接着力が比較的弱いという問題があり、従って、特に、上述のようなプラダン容器の側面上縁部とそこに取り付ける嵌合フレームの間の接着のように、容器を持ち上げたりする際に容器側面上縁部とそこに取り付けられている嵌合フレームとの間に接着面が比較的剥がれやすい方向である接着面に平行な方向に強い力が働くような場合で、且つ、接着強度を十分に得るだけの接着面積が確保できない場合には、通常リベットによる接合方法が行われている。
【手続補正５】
【補正対象書類名】明細書
【補正対象項目名】００２３
【補正方法】変更
【補正の内容】
【００２３】
また、従来のプラダン容器にあっては、側壁材料がプラダンシートだけの構造であるため、他の金属製、木製などの容器に比べて、内容物を収容したプラダン容器を積み重ねるなどして上部から荷重が掛かる場合の耐荷重性が比較的小さいという問題がある。
【手続補正６】
【補正対象書類名】明細書
【補正対象項目名】００２６
【補正方法】変更
【補正の内容】
【００２６】
上述のような問題があるため、従来、プラダン容器は、異物が多い環境で使い捨てでなく再利用を繰り返す用途或いは再利用をするには水洗を必要とするような用途などには不向きであるという問題があった。
【手続補正７】
【補正対象書類名】明細書
【補正対象項目名】００４１
【補正方法】変更
【補正の内容】
【００４１】
嵌合フレームは、その嵌合フレームに設けられた嵌入溝にプラダン容器箱体のプラダンシート裁断端部を嵌入することによって、その箱体の裁断端部に取り付けるが、嵌合フレームの外側形状は、把持するための把手の形成、強度を強めるための補強リブの形成、他の部材と接合するためのフランジの形成を含むがそれに限らない任意の目的で、任意の方向で任意の形状に突出したリブ状の突起（以下、「フランジ」という。）を設けた形状とすることができる（図３，図４参照）。
【手続補正８】
【補正対象書類名】明細書
【補正対象項目名】００４３
【補正方法】変更
【補正の内容】
【００４３】
プラダン容器箱体に用いられる嵌合フレームは、側面プラダンシートの上縁辺部に取り付けられ、その上縁辺部に対して垂直下方に開口する一本の嵌入溝を有する嵌合フレーム（以下、「上縁フレーム」という。）、側面プラダンシートの下縁辺部に取り付けられ、その下縁辺部に対して垂直上方に開口する一本の嵌入溝を有する嵌合フレーム（以下、「下縁フレーム」という。）、底面プラダンシートの周縁辺部に取り付けられ、その周縁辺部に対して垂直真横に開口する一本の嵌入溝を有する嵌合フレーム（以下、「底縁フレーム」という。）、横に隣接する側面プラダンシート同士が突合してなる縦方向の稜線部又は隣接する底面プラダンシートと側面プラダンシートとが突合してなる横方向の稜線部に取り付けられ、突合するそれぞれのプラダンシートの方向に開口する二本の嵌入溝を有する嵌合フレーム（以下、「稜線フレーム」という。）、隣接する側面プラダンシート同士が突合してなる縦方向稜線の上端部又は下端部のコーナー部分に取り付けられ、それぞれの縁辺部に任意の長さだけまたがって形成される上側から見た場合にほぼＬ字形状を呈し、それぞれの縁辺部に対して垂直下方又は垂直上方に開口するＬ字形状の一本の嵌入溝を有する嵌合フレーム（以下、「Ｌ字立体コーナーフレーム」という。）、分離した側面プラダンシート又は底面プラダンシートのコーナー部分に取り付けられ、そのコーナーを起点とするそれぞれの縁辺部に任意の長さだけまたがって形成される上側から見た場合にほぼＬ字形状を呈し、それぞれの縁辺部に対して垂直真横に開口するＬ字形状の一本の嵌入溝を有する嵌合フレーム（以下、「Ｌ字平面コーナーフレーム」という。）、及び／又は隣接する側面プラダンシート同士が突合してなる縦方向の一本の稜線とその隣接する側面プラダンシートと底面プラダンシートが突合してなる二本の横方向稜線の合計三本の稜線が合流する三角コーナー部分に取り付けられ、それぞれの稜線上に任意の長さだけまたがって形成されるほぼ三角状を呈し、突合する三枚のプラダンシートの方向に開口する嵌入溝を有する嵌合フレーム（以下、「三角コーナーフレーム」という。）として用いるだけではなく、いずれかの側面プラダンシート若しくは底面プラダンシートを任意に分割して、それぞれ分割した部分を再び突合してなる平面分割部に取り付けるリブ状の嵌合フレーム（以下、「リブフレーム」という。）として用いることもでき、また、上述の嵌入溝の本数は、そこに嵌入されるプラダンシートの端部に対応したもので、例えば、そこに嵌入されるプラダンシート端部が鋸歯状であるような場合或いは隣接するプラダンシートの端部が突合した状態でほぼ連続しているような場合には、複数の嵌入溝が鎖線状に断続したものも１本とする。
【手続補正９】
【補正対象書類名】明細書
【補正対象項目名】００５４
【補正方法】変更
【補正の内容】
【００５４】
上述のように嵌合フレームとプラダンシート裁断端部を接着剤を用いて接着する場合、その接着剤、嵌合フレーム及びプラダンシートの材料の性質、強度などに応じて、その接着強度を更に向上するために、嵌合フレームに設けられている嵌入溝にプラダンシート裁断端部を嵌入した後に、その接着剤、プラダンシート及び／又は嵌合フレームに損傷や変質を与えない範囲の圧力を適宜その嵌合フレームの外側からそのプラダンシート裁断端部が嵌入されている部分に加えることもできる。
【手続補正１０】
【補正対象書類名】明細書
【補正対象項目名】００６２
【補正方法】変更
【補正の内容】
【００６２】
上述のようにして開けたリベット穿孔にプラスチックリベットをその両端がそのリベット穿孔の両端からそれぞれ任意の長さだけ飛び出た状態に貫通させ、加熱押圧具の半球状窪みの表面をそのプラスチックリベット素材の融点に達するまで加熱し、その貫通したプラスチックリベットの一方の端部にその加熱した加熱押圧具の半球状窪みの表面を当接させ、そのプラスチックリベットの他端を支えて固定しながらその加熱した半球状窪みの表面によってそのプラスチックリベットの一方の端部をその軸方向に押圧しながら軟化させ、更にその軟化したプラスチックリベット端部をリベット穿孔周辺の嵌合フレーム表面に押しつけるようにすることにより、その軟化したプラスチックリベットの端部を半球状窪みの形状に倣って滑らかで凹凸のない曲面を有する半球状のリベットヘッドに成形すると共に、そのプラスチックリベットの半球状に成形されたリベットヘッドの裏面部分が嵌合フレーム表面に接する部分でそのリベットヘッド裏面をその嵌合フレーム表面に融着してから、その加熱押圧具を取り除いて冷却することによって嵌合フレームとその嵌入溝に嵌入したプラダンシート端部を接合する（図７参照）。
【手続補正１１】
【補正対象書類名】明細書
【補正対象項目名】００６５
【補正方法】変更
【補正の内容】
【００６５】
また、本発明の方法によれば、上述のように、プラスチックリベットの両端が滑らかな半球状のリベットヘッドに加熱成形されるために、従来のリベットを用いた接合後のリベットが角張った頭部を有する接合方法と異なり、リベットヘッドに異物が引っかかったり滞留したりすることがなく、比較的容易に洗浄できるという利点がある（図７参照）。
【手続補正１２】
【補正対象書類名】明細書
【補正対象項目名】００７１
【補正方法】変更
【補正の内容】
【００７１】
上述のようにプラダン容器箱体の縦方向稜線部に稜線フレームを取り付ける場合、その稜線フレームのそれぞれには、その稜線部を形成する隣接する二枚の側面プラダンシートを嵌入するための二本の嵌入溝を設けるが、そのように設けられた二本の嵌入溝は、それぞれその嵌入溝に嵌入された二枚のプラダンシートが所定の角度を有するようにそれぞれの嵌入溝の開口方向を合わせるようにして設ける。
【手続補正１３】
【補正対象書類名】明細書
【補正対象項目名】００７５
【補正方法】変更
【補正の内容】
【００７５】
上記の課題の内、プラダン容器の形状を顧客の要求に応じて簡便かつ柔軟に変更する課題の本発明による解決手段としての一つの方法は、所要のプラダン容器の箱体サイズと断面サイズが同寸法であるが底面のない断面形状が矩形、多角形、円形を含むがそれに限らない筒状の形状を有する胴体部材（以下、「基礎胴体部材」という。）を作成し、また、その基礎胴体部材の外形寸法とほぼ同じ内法寸法を有するがその胴体部材より高さが低い底面のある箱体部材（以下、「箱体底部部材」という。）を別に作成し、その基礎胴体部材の下縁部をその箱体底部部材の上端開口部から任意の深さまで挿入し、その基礎胴体部材と箱体底部部材の両側面が重なった部分を任意の位置で接着剤、プラスチックリベットを含むがそれに限らない接合手段で接合することによってプラダン容器を形成する。
【手続補正１４】
【補正対象書類名】明細書
【補正対象項目名】００７７
【補正方法】変更
【補正の内容】
【００７７】
上記の課題の内、プラダン容器の形状を顧客の要求に応じて簡便かつ柔軟に変更する課題の本発明による解決手段としての別の方法は、上述の基礎胴体部材及び箱体底部部材を作成し、また、その基礎胴体部材と断面形状は同じだが高さは任意の別の胴体部材（以下、「継ぎ足し用胴体部材」という。）を作成し、更に、上方及び下方の両方からプラダンシート裁断端部をそれぞれ嵌入できる二つの嵌入溝を有するリブフレーム（以下、「中継ぎフレーム」という）及び上方及び下方の両方から隣接する側面プラダンシートが突合してなる稜線の端部コーナー部分をそれぞれ嵌入できる二つの嵌入溝を有するリブフレーム（以下、「中継ぎコーナーフレーム」という。）を作成した後（図３参照）、その基礎胴体部材の下縁部をその箱体底部部材の上端開口部から任意の深さまで挿入し、その基礎胴体部材と箱体底部部材の両側面が重なった部分を任意の位置で接着剤、プラスチックリベットを含むがそれに限らない接合手段で接合し、その基礎胴体部材の上縁部を中継ぎフレームの下向きの嵌入溝に嵌入し、その基礎胴体部材の嵌入部分と中継ぎフレームを接着剤、プラスチックリベットを含むがそれに限らない接合手段で接合し、また、その継ぎ足し用胴体部材の下縁部をその中継ぎフレーム及び中継ぎコーナーフレームの上向きの嵌入溝に嵌入し、その継ぎ足し用胴体部材の嵌入部分と中継ぎフレーム及び中継ぎコーナーフレームを接着剤、プラスチックリベットを含むがそれに限らない接合手段で接合することによって中継ぎフレームと継ぎ足し用胴体部材を用いた高さ方向に継ぎたされたプラダン容器を組み立てるが（図７参照）、上述の各部材に関する挿入、嵌入、接合などの作業手順は工程の都合に応じて任意に定めることができる。
【手続補正１５】
【補正対象書類名】明細書
【補正対象項目名】００８１
【補正方法】変更
【補正の内容】
【００８１】
本発明に従って上述のような逆台形状のプラダン容器を形成する場合には、底面に対して用いる稜線フレーム及び三角コーナーフレームは、底面プラダンシートの一辺を成す裁断端部と側面プラダンシートの底面側の一辺を成す裁断端部の両方を嵌入する二本の嵌入溝を有するように形成し、また、底面プラダンシートに対して側面プラダンシートが上方に開いた角度を有するようにするために、その二本の嵌入溝の開口方向の成す角度が底面と側面が成すべき上方に開いた角度に合致するように形成し、その二本の嵌入溝に底面プラダンシートの裁断端部と台形に裁断された側面プラダンシートの裁断端部をそれぞれ嵌入することによって逆台形状のプラダン容器を形成する。
【手続補正１６】
【補正対象書類名】明細書
【補正対象項目名】００９０
【補正方法】変更
【補正の内容】
【００９０】
以下に、本発明の実施の形態を、本発明に従って接着剤及びリベットを併用してプラダン容器の側面プラダンシートの上端部及び下端部に嵌合フレームを取り付けたプラダン容器を製作する実施例によって示す。
【手続補正１７】
【補正対象書類名】明細書
【補正対象項目名】００９１
【補正方法】変更
【補正の内容】
【００９１】
本実施例において製作されるプラダン容器１は、底面プラダンシート４及び四枚の側面プラダンシート３で囲まれ、上面に蓋はなく、横断面の形状が矩形を呈する箱体よりなる容器である（図１参照）。
【手続補正１８】
【補正対象書類名】明細書
【補正対象項目名】００９２
【補正方法】変更
【補正の内容】
【００９２】
本実施例のプラダン容器１の周壁の素材としては、本発明に従って、底面及び全ての側面に対してプラダンシートを用いる。
【手続補正１９】
【補正対象書類名】明細書
【補正対象項目名】００９３
【補正方法】変更
【補正の内容】
【００９３】
本実施例においては、従来技術を用いて、プラダン容器１の側壁を構成するそれぞれの側面プラダンシート３を、隣接する側面プラダンシート３の境界で折り曲げ、及び／又は、隣接する側面プラダンシート３を突合させた境界に沿って接合することによってプラダン容器１の筒状の胴体部２を作成する（図１、図２参照）。
【手続補正２０】
【補正対象書類名】明細書
【補正対象項目名】００９４
【補正方法】変更
【補正の内容】
【００９４】
上述の従来技術による胴体部２の作成において、それぞれ隣接する側面プラダンシート３の境界部分は、側面プラダンシート３の裁断端面が露出せず、水分などの異物がその境界線部分から側面プラダンシート３内部空隙に侵入しない方法（例えば、上述の参考資料３を参照）を用いて折り曲げ及び／又は接合を行う。
【手続補正２１】
【補正対象書類名】明細書
【補正対象項目名】００９５
【補正方法】変更
【補正の内容】
【００９５】
上述の胴体部２とは別に、本実施例においては、その胴体部２を形成する側面プラダンシート３の裁断端面が露出している四辺の側面上縁辺部のそれぞれに取り付ける四本の上縁フレーム５を、側面プラダンシート３と同じプラスチック素材を用いて射出成形法によって作成する（図２参照）。
【手続補正２２】
【補正対象書類名】明細書
【補正対象項目名】００９６
【補正方法】変更
【補正の内容】
【００９６】
上述の上縁フレーム５のそれぞれには、箱体の側面プラダンシート３上端部を下方から嵌入できるように、側面プラダンシート３の厚さとほぼ同じ幅の嵌入溝１０をその上縁フレーム５の全長に渉ってその長さ方向に沿って設ける。
【手続補正２３】
【補正対象書類名】明細書
【補正対象項目名】００９７
【補正方法】変更
【補正の内容】
【００９７】
上述の上縁フレーム５のそれぞれの長さは、本実施例においては、四方の側面のそれぞれに対して、それぞれ嵌入される側面の幅より任意に定めた長さ（以下、「コーナー嵌合代長」という。）だけ短い長さとする。
【手続補正２４】
【補正対象書類名】明細書
【補正対象項目名】００９８
【補正方法】変更
【補正の内容】
【００９８】
上述の胴体部２、上縁フレーム５とは別に、本実施例においては、隣接する側面プラダンシート３が突合してなす稜線の上端部に形成されるコーナー部のそれぞれに対して、そのコーナーからそれぞれの側面上縁部にそれぞれの側面のコーナー嵌合代長のほぼ半分の長さだけ伸びて、上部から見た形がそのコーナー部を覆うＬ字形状を呈する四個のＬ字コーナーフレーム（Ｌ字立体コーナーフレーム）６を、側面プラダンシート３と同じプラスチック素材を用いて射出成形法によって作成する（図２参照）。
【手続補正２５】
【補正対象書類名】明細書
【補正対象項目名】００９９
【補正方法】変更
【補正の内容】
【００９９】
上述のＬ字コーナーフレーム６のそれぞれは、箱体の側面に用いられる側面プラダンシート３の上縁コーナー部を下方から嵌入できるように、側面プラダンシート３の厚さとほぼ同じ幅の溝である嵌入溝１０を、そのＬ字コーナーフレーム６の全長に渉ってその長さ方向の形状に沿って設ける。
【手続補正２６】
【補正対象書類名】明細書
【補正対象項目名】０１００
【補正方法】変更
【補正の内容】
【０１００】
上述の胴体部２、上縁フレーム５、Ｌ字コーナーフレーム６とは別に、本実施例においては、その胴体部２を形成する側面プラダンシート３及び底面プラダンシート４の裁断端面が露出している側面下縁部と底面周辺部よりなる底面を囲む四本の稜線のそれぞれに取り付ける四本の稜線フレーム７を、側面プラダンシート３及び底面プラダンシート４と同じプラスチック素材を用いて射出成形法によって作成する（図２参照）。
【手続補正２７】
【補正対象書類名】明細書
【補正対象項目名】０１０１
【補正方法】変更
【補正の内容】
【０１０１】
上述の稜線フレーム７のそれぞれには、箱体の互いに隣接する側面プラダンシート３及び底面プラダンシート４を、側面プラダンシート３は上方から、底面プラダンシート４は横方向からそれぞれ嵌入できるように、側面プラダンシート３及び底面プラダンシート４の厚さとほぼ同じ幅の溝である二本の嵌入溝１０を、その稜線フレーム７の全長に渉ってその長さ方向に沿って上方及び横方向に開口して設ける。
【手続補正２８】
【補正対象書類名】明細書
【補正対象項目名】０１０２
【補正方法】変更
【補正の内容】
【０１０２】
上述の稜線フレーム７のそれぞれの長さは、本実施例においては、底面プラダンシート４のそれぞれの周辺長に対応する長さとするが、それぞれの周辺長より任意に定めたコーナー嵌合代長だけ短い長さとする。
【手続補正２９】
【補正対象書類名】明細書
【補正対象項目名】０１０３
【補正方法】変更
【補正の内容】
【０１０３】
上述の胴体部２、上縁フレーム５、Ｌ字コーナーフレーム６、稜線フレーム７とは別に、本実施例においては、隣接する二枚の側面プラダンシート３と底面プラダンシート４が互いに突合して底面四隅に形成される三角コーナー部のそれぞれに対して、そのコーナーから隣接するそれぞれの側面下縁部にそれぞれの側面のコーナー嵌合代長のほぼ半分の長さだけ伸び、高さは前述の稜線フレーム７の高さと同じ寸法を有する四個の三角コーナーフレーム８を、側面プラダンシート３及び底面プラダンシート４と同じプラスチック素材を用いて射出成形法によって作成する（図２参照）。
【手続補正３０】
【補正対象書類名】明細書
【補正対象項目名】０１０４
【補正方法】変更
【補正の内容】
【０１０４】
上述の三角コーナーフレーム８のそれぞれは、上述の胴体部２の側面プラダンシート３の下縁コーナー部を上方から嵌入できるように、側面プラダンシート３の厚さとほぼ同じ幅の溝である嵌入溝１０を、その三角コーナーフレーム８の全長に渉ってその長さ方向の形状に沿って上方に開口した状態で設けると共に、本実施例で作成されるプラダン容器１の箱体の底面となる底面プラダンシート４のコーナー端部を横方向から嵌入できるように、底面プラダンシート４の厚さとほぼ同じ幅の溝である嵌入溝１０を、その三角コーナーフレーム８の全長に渉ってその長さ方向の形状に沿って横方向に開口した状態で設ける。
【手続補正３１】
【補正対象書類名】明細書
【補正対象項目名】０１０５
【補正方法】変更
【補正の内容】
【０１０５】
上述の胴体部２、上縁フレーム５、Ｌ字コーナーフレーム６、稜線フレーム７、三角コーナーフレーム８とは別に、本実施例においては、プラダン容器１の底面となる底面プラダンシート４を、その胴体部２の側面プラダンシート３とその底面プラダンシート４が突合してなす稜線部に上述の稜線フレーム７及び三角コーナーフレーム８を取り付けた場合のその底面プラダンシート４嵌入用の嵌入溝１０の連なりが形成する内法寸法に合致するような寸法を有するように裁断によって作成する（図２参照）。
【手続補正３２】
【補正対象書類名】明細書
【補正対象項目名】０１０６
【補正方法】変更
【補正の内容】
【０１０６】
上述の胴体部２、上縁フレーム５、Ｌ字コーナーフレーム６、稜線フレーム７、三角コーナーフレーム、底面プラダンシート４とは別に、本実施例においては、本実施例で用いられる側面プラダンシート３及び底面プラダンシート４と同じプラスチック素材を用いて、円柱状のプラスチックリベット１１を作成する（図７参照）。
【手続補正３３】
【補正対象書類名】明細書
【補正対象項目名】０１０７
【補正方法】変更
【補正の内容】
【０１０７】
上述のプラスチックリベット１１の長さは、上述の上縁フレーム５、Ｌ字コーナーフレーム６、稜線フレーム７及び三角コーナーフレーム８のそれぞれの嵌入溝１０に上述のプラダンシート端部を嵌入した状態で、その上縁フレーム５、Ｌ字コーナーフレーム６、稜線フレーム７及び三角コーナーフレーム８のそれぞれの一方の側面から他方の側面にそのプラスチックリベット１１が貫通し、更に任意に設定した長さだけその嵌入溝１０の両側から突き出る長さとする（図７参照）。
【手続補正３４】
【補正対象書類名】明細書
【補正対象項目名】０１０８
【補正方法】変更
【補正の内容】
【０１０８】
上述のようにして作成された上縁フレーム５、Ｌ字コーナーフレーム６、稜線フレーム７及び三角コーナーフレーム８のそれぞれに設けられている嵌入溝１０の内面に対して、接着剤を用いた場合の接着力を高めるために、コロナ放電処理を施す。
【手続補正３５】
【補正対象書類名】明細書
【補正対象項目名】０１０９
【補正方法】変更
【補正の内容】
【０１０９】
続いて、上述のようにコロナ放電処理を施したそれぞれの嵌入溝１０内面及びそこに嵌入するプラダンシート端部の嵌入部分に、側面プラダンシート３及び底面プラダンシート４と同じ素材を用いた接着剤を塗布する。
【手続補正３６】
【補正対象書類名】明細書
【補正対象項目名】０１１０
【補正方法】変更
【補正の内容】
【０１１０】
続いて、上述の胴体部２上縁の四隅にあるコーナー部の側面プラダンシート３上縁部を、接着剤が塗布された四つのＬ字コーナーフレーム６の嵌入溝１０にそれぞれ嵌入し、そのＬ字コーナーフレーム６の両側面を挟むように圧力を加えて接着剤による接着を行う。
【手続補正３７】
【補正対象書類名】明細書
【補正対象項目名】０１１１
【補正方法】変更
【補正の内容】
【０１１１】
続いて、上述のようにして胴体部２上縁の四隅に取り付けられたそれぞれのＬ字コーナーフレーム６の端部に、上縁フレーム５の端部をそれぞれ突合させながら、胴体部２の側面プラダンシート３の上縁部をそれぞれ上縁フレーム５の嵌入溝１０に嵌入し、その上縁フレーム５の両側面を挟むように圧力を加えて接着剤による接着を行う。
【手続補正３８】
【補正対象書類名】明細書
【補正対象項目名】０１１２
【補正方法】変更
【補正の内容】
【０１１２】
続いて、上述の底面プラダンシート４の四隅のコーナー部をそれぞれ三角コーナーフレーム８の横方向に開口した嵌入溝１０に嵌入し、その嵌入されたプラダンシートの上部に配置されたその三角コーナーフレーム８のフランジ部を挟むように圧力を加えて接着剤による接着を行う。
【手続補正３９】
【補正対象書類名】明細書
【補正対象項目名】０１１３
【補正方法】変更
【補正の内容】
【０１１３】
続いて、上述のようにして底面プラダンシート４の四隅に取り付けられたそれぞれの三角コーナーフレーム８の端部に、稜線フレーム７の端部をそれぞれ突合させながら、底面プラダンシート４辺の端部をそれぞれ稜線フレーム７の横方向に開口した嵌入溝１０に嵌入し、その嵌入された底面プラダンシート４の上部に配置されたその稜線フレーム７のフランジ部を挟むように圧力を加えて接着剤による接着を行う。
【手続補正４０】
【補正対象書類名】明細書
【補正対象項目名】０１１４
【補正方法】変更
【補正の内容】
【０１１４】
続いて、上述の上縁フレーム５とＬ字コーナーフレーム６が取り付けられた胴体部２の側面プラダンシート３下端を、上述の底面プラダンシート４に取り付けられた稜線フレーム７と三角コーナーフレーム８の上方に開口した嵌入溝１０に同時に嵌入し、その三角コーナーフレーム８の両側面を挟むように圧力を加えて接着剤による接着を行う。
【手続補正４１】
【補正対象書類名】明細書
【補正対象項目名】０１１５
【補正方法】変更
【補正の内容】
【０１１５】
続いて、上述の取り付けられた上縁フレーム５、Ｌ字コーナーフレーム６、稜線フレーム７及び三角コーナーフレーム８のそれぞれの側面の任意の位置にプラスチックリベット１１を挿入するためのリベット穿孔１２を開けるが、そのリベット穿孔１２の孔の大きさは、そのプラスチックリベット１１がそのリベット穿孔１２を貫通する際にやや抵抗をもつ程度にする（図７参照）。
【手続補正４２】
【補正対象書類名】明細書
【補正対象項目名】０１１６
【補正方法】変更
【補正の内容】
【０１１６】
上述のように開けたリベット穿孔１２のそれぞれに、一方の側からプラスチックリベット１１を挿入するが、その挿入の深さは、挿入した側にプラスチックリベット１１の一部が残ると共に、反対側にも貫通して一部が突き出ている状態になるようにする（図７参照）。
【手続補正４３】
【補正対象書類名】明細書
【補正対象項目名】０１１７
【補正方法】変更
【補正の内容】
【０１１７】
本実施例では、別に上述のプラスチックリベット１１の太さより直径が大きい半球状の窪みを有し、その半球状窪みの表面を加熱できる加熱押圧具を用意し、その半球状窪みの表面をプラスチックリベット１１が溶融する温度まで加熱する。
【手続補正４４】
【補正対象書類名】明細書
【補正対象項目名】０１１８
【補正方法】変更
【補正の内容】
【０１１８】
上述のように加熱した加熱押圧具の半球状窪みの部分を、上述のようにリベット穿孔１２に挿入されて上述のように取り付けられた上縁フレーム５、Ｌ字コーナーフレーム６、稜線フレーム７又は三角コーナーフレーム８の表面から少し突き出ているいずれかのプラスチックリベット１１の一方の先端に当接し、他方の先端を押さえて位置を固定しながら押圧して、その一方の先端部分を加熱押圧具によって軟化若しくは溶融させ、その軟化若しくは溶融したプラスチックリベット１１先端をその加熱押圧具の半球状窪みに倣って半球状のリベットヘッド１３に成形すると共に、その上縁フレーム５、Ｌ字コーナーフレーム６、稜線フレーム７又は三角コーナーフレーム８のリベット穿孔１２周囲の表面に当接しているその半球状のリベットヘッド１３のツバの下面をそのリベット穿孔１２周囲の表面に融着させた後、その加熱押圧具を取外し、冷却して固化する（図７参照）。
【手続補正４５】
【補正対象書類名】明細書
【補正対象項目名】０１１９
【補正方法】変更
【補正の内容】
【０１１９】
上述のようなプラスチックリベット１１先端の加熱成形、融着及び冷却固化の作業を挿入されている全てのプラスチックリベット１１の先端に施すことによって、本実施例におけるプラダン容器１は完成する。
【手続補正４６】
【補正対象書類名】明細書
【補正対象項目名】０１２０
【補正方法】変更
【補正の内容】
【０１２０】
上述のように本発明に従って製作されたプラダン容器１にあっては、箱体側面のプラダンシート上縁部及び下縁部に露出していた裁断端面が本発明に従って接着剤を用いて嵌合フレームを取り付けることにより密封され、また、その嵌合フレームとプラダンシート上縁部が本発明に従ってプラスチックリベット１１を用いてそのリベット穿孔１２が密封された状態で強固に接合されるために、箱体側面のプラダンシート上縁部又は下縁部からそのプラダンシートの内部空隙に水分などの異物が侵入することを防ぐ密封性が改善され、かつ、取り付けられた嵌合フレーム部分を持って持ち上げるなど、その嵌合フレーム部分に上向きの強い力が加わっても、その取り付けられた嵌合フレームがそのプラダンシート上縁部との接着部分で剥離して外れることがないように接合強度が改善されたプラダン容器１が得られる。
【手続補正４７】
【補正対象書類名】明細書
【補正対象項目名】０１２１
【補正方法】変更
【補正の内容】
【０１２１】
本発明によれば、従来のプラダン容器１の用途に加え、洗浄して再利用が可能となって用途を拡大する効果があり、また、サイズの設計自由度が改善されるため普及を促進する効果があり、従って、本発明は、産業において利用され得るものである。
【手続補正４８】
【補正対象書類名】明細書
【補正対象項目名】０１２２
【補正方法】変更
【補正の内容】
【０１２２】
１     プラダン容器
２     胴体部
３     側面プラダンシート
４     底面プラダンシート
５     上縁、下縁、底縁フレーム
６     Ｌ字コーナーフレーム（Ｌ字立体コーナーフレーム）
７     稜線フレーム
８     三角コーナーフレーム
９     中継ぎフレーム
１０   嵌入溝
１１   プラスチックリベット
１２   リベット穿孔
１３   リベットヘッド
１４   スタッキング用底板
【手続補正４９】
【補正対象書類名】特許請求の範囲
【補正対象項目名】全文
【補正方法】変更
【補正の内容】
【特許請求の範囲】
【請求項１】
プラダンシートで形成された箱体と、
前記箱体の開口縁部の全周に嵌合された上縁フレームと、  
前記箱体を構成する底面プラダンシートの裏面に取り付けられ、他の箱体へ積み重ねられた際に他の箱体の中に位置し、他の箱体の前記上縁フレームに当たって前記箱体の横滑りを防止するプラスチック板と、
を有するプラスチック容器。
【請求項２】
互いに直交する方向に形成された２本の溝が設けられた稜線フレームを有し、
前記箱体を構成する側面プラダンシートの下縁部と前記底面プラダンシートの周縁部とを前記稜線フレームの前記溝にそれぞれ嵌入する、及び／又は２枚の前記側面プラダンシートの側縁部を前記稜線フレームの前記溝にそれぞれ嵌入することによって、前記箱体が形成されている、請求項１に記載のプラスチック容器。
【請求項３】
前記上縁フレーム、前記稜線フレーム、及び前記プラスチック板は、プラスチックリベットによって前記箱体に接合されている、請求項２に記載のプラスチック容器。
【請求項４】
前記上縁フレームの上端部及び前記稜線フレームの下端部には、水平方向にフランジが延出されている、請求項２又は３に記載のプラスチック容器。